(57)【要約】      （修正有）【課題】露出型インターホンに取付プレートを着装することで、埋込ボックスに施工することができる電子機器の壁面取付構造を提供する。【解決手段】壁面に埋設された埋込ボックスと、電子部品が搭載された電子機器と、電子機器を着装するため取付プレートを備え、取付プレートを装着した電子機器を埋込ボックスに取り付ける電子機器の壁面取付構造であって、埋込ボックスは、電子機器を取り付ける前側の前面壁と、前面壁に電子機器からのケーブルを埋込ボックスの内側に導入するボックス開口部とを備え、取付プレートは、電子機器を着装するためのネジ穴部を備え、ボックス開口部の垂直方向または水平方向のどちらかの開口距離より長形状で、前面壁の埋込ボックス内側の垂直方向または水平方向のどちらかの内側距離より短形状で形成される。【選択図】図１
2010081483.tif 000002
【特許請求の範囲】
【請求項１】
壁面に埋設された埋込ボックス（１）と、電子部品が搭載された電子機器（２）と、前記電子機器を着装するため取付プレート（３）を備え、前記取付プレートを装着した前記電子機器を前記埋込ボックスに取り付ける電子機器の壁面取付構造であって、
前記埋込ボックスは、前記電子機器を取り付ける前側の前面壁（１２）と、前記前面壁に前記電子機器からのケーブルを前記埋込ボックスの内側に導入するボックス開口部（１１）とを備え、
前記取付プレートは、前記電子機器を着装するためのネジ穴部（３１）を備え、前記ボックス開口部の垂直方向または水平方向のどちらかの開口距離より長形状で、前記前面壁の前記埋込ボックス内側の垂直方向または水平方向のどちらかの内側距離より短形状で形成されたことを特徴とする電子機器の壁面取付構造。
【請求項２】
前記取付プレートには、前記ケーブルを前記埋込ボックス内側に導入するためのプレート開口部（３２）を備えたことを特徴とする請求項１記載の電子機器の壁面取付構造。
【請求項３】
前記取付プレートの長手方向に沿った縁端には、前記取付プレート面との垂直方向へ屈曲させた屈曲部（３３）を備えたことを特徴とする請求項１または２記載の電子機器の壁面取付構造。
【請求項４】
前記ネジ穴部は、前記屈曲部を前記電子機器と向かい合わせた状態で着装する表ネジ穴部（３１ａ）と、前記屈曲部を前記電子機器と相反する状態で着装するための裏ネジ穴部（３１ｂ）で構成されたことを特徴とする請求項３記載の電子機器の壁面取付構造。
【発明の詳細な説明】
【技術分野】
【０００１】
本発明は電子機器の壁面取付構造に係わり、埋込ボックスが施工されている壁面に、露出型インターホン機器を取り付けることができる電子機器の壁面取付構造に関する。
【背景技術】
【０００２】
従来から、インターホン装置は、背面を壁面に埋め込まれて施工される埋込型インターホンや、壁面に埋め込まずに露出施工される露出型インターホンがある。ところが、このような埋込型インターホン親機を埋設せずに設置しなければならない場合があり、そのような時は露出施工するための専用の箱を使用して、露出ボックスにインターホン親機を収容して壁面に設置される。
このような露出ボックスとして、特許文献１に記載されたものがある。これは、埋込型
のハンズフリーインターホン親機を露出施工するための露出ボックスである。
【特許文献１】特開２００８−０６０８２１
【発明の開示】
【発明が解決しようとする課題】
【０００３】
上記先行技術文献１に示す従来のインターホン親機の露出ボックスは、埋込型インターホンを埋込ボックスなしでも施工することができるものであり、埋込型インターホンを露出施工しなければならない状況の場合の時に、使用するものである。
しかし、埋込型インターホンの露出施工を行うことができたが、露出型インターホンを壁面に埋め込んで施工することができなかった。つまり、埋込型インターホン機器が施工されていたが、インターホンを買い替える場合には、埋込型インターホンしか施工することができず、インターホンを自由に選択することができなかった。
【０００４】
本発明は、この難点を解決するためになされたもので、露出型インターホンに取付プレートを着装することで、埋込ボックスに施工することができる電子機器の壁面取付構造を提供することを目的とする。
【課題を解決するための手段】
【０００５】
上記課題を解決するために、請求項１に記載の発明は、壁面に埋設された埋込ボックスと、電子部品が搭載された電子機器と、電子機器を着装するため取付プレートを備え、取付プレートを装着した電子機器を埋込ボックスに取り付ける電子機器の壁面取付構造であって、埋込ボックスは、電子機器を取り付ける前側の前面壁と、前面壁に電子機器からのケーブルを埋込ボックスの内側に導入するボックス開口部とを備え、取付プレートは、電子機器を着装するためのネジ穴部を備え、ボックス開口部の垂直方向または水平方向のどちらかの開口距離より長形状で、前面壁の埋込ボックス内側の垂直方向または水平方向のどちらかの内側距離より短形状で形成されたことを特徴とする。
この構成によれば、予め埋込ボックスが施工されている箇所にも露出型インターホンを施工することができるため、インターホンを買い替えるときの選択の自由度が広がる。
【０００６】
請求項２の発明は、請求項１に記載の発明において、取付プレートには、ケーブルを埋込ボックス内側に導入するためのプレート開口部を備えたことを特徴とする。
この構成によれば、電子機器からのケーブルを取付プレートの開口部を通すことができるため、ケーブルの配線処理を行いやすくできる。
【０００７】
請求項３の発明は、請求項１又は２に記載の発明において、取付プレートの長手方向に沿った縁端には、取付プレート面との垂直方向へ屈曲させた屈曲部を備えたことを特徴とする。
この構成によれば、取付プレートの縁端が屈曲しているため、インターホン機器と取付プレートを挟み込む力が強くても、取付プレートの形状を保つことができる。
【０００８】
請求項４の発明は、請求項１乃至３に記載の発明において、ネジ穴部は、屈曲部を電子機器と向かい合わせた状態で着装する表ネジ穴部と屈曲部を電子機器と相反する状態で着装するための裏ネジ穴部で構成されたことを特徴とする。
この構成によれば、取付プレートの屈曲部を埋込ボックス内に向けて取り付けることにより、壁厚が薄い場合にもインターホン機器と取付プレートを挟み込む力を強くすることができる。
【発明の効果】
【０００９】
本発明によれば、埋込ボックスが施工されている箇所に露出型インターホンを取り付けることができるため、インターホンの買替え時には、埋込型インターホン、露出型インターホンのどちらのインターホンも自由に施工することができる。
【発明を実施するための最良の形態】
【００１０】
以下、本発明による電子機器の壁面取付構造を適用した好ましい形態の実施例について、図面を参照して説明する。
図１は電子機器２を壁４の埋込ボックス１に取り付けた時の状態図を示している。図２は取付プレート３全体図である。図３は電子機器２を埋込ボックスに取りつけた状態の斜視図である。
【００１１】
埋込ボックス１は、電子機器２を取り付ける前側の前面壁１１と、前面壁１１に電子機器２からのケーブルを埋込ボックス１の内側に導入するボックス開口部１１を備えている。
取付プレート３は、電子機器２を着装するためのネジ穴部３１と、電子機器２からのケーブルを埋込ボックス１の内側に導入するためのプレート開口部３２と、取付プレート３の長手方向に沿った縁端に、取付プレート面と垂直方向に屈曲させた屈曲部３３を備えている。ネジ穴部３１は、屈曲部３３を電子機器２と向かい合わせた位置で着装する表ネジ穴部３１ａ、と屈曲部３３を電子機器２と相反する位置で着装するための裏ネジ穴部３１ｂで構成されている。また、取付プレート３は、埋込ボックス１のボックス開口部１１よりも長形状かつ、前面壁１１の埋込ボックス１内側の内側距離より短形状で形成されているため、内側に取り付けることができる。
【００１２】
上記のような構成の電子機器の壁面取付構造の説明を行う。
まず、埋込ボックス３に取付プレート３の屈曲部３３を埋込ボックス１の内側に向けて取付プレート３を入れる。取付プレート３は、埋込ボックス３のボックス開口部１１よりも長形状であるため、ボックス開口部１１の両端によって隠れる状態で配置を行う。この状態で、ネジ５を電子機器２の背面ケース２ａを通し、取付プレート３の裏ネジ穴部３１ｂに螺合をする。すると、図１、図３のように、電子機器１と取付プレート３で壁４、埋込ボックス２を挟み込む状態で螺合することができ、電子機器２を埋込ボックス１に取り付けることができる。
【００１３】
また、電子機器２の背面からの配線は、プレート開口部３２を通じて埋込ボックス３に導入することができるため、配線処理を容易に行うことができる。
また、取付プレート３は、図１（ｂ）のように、電子機器２と取付プレート３を壁４、埋込ボックス２を挟み込んだ時に生じる力（電子機器２方向への力）を受けても変形しないように屈曲部３３を設けている。
更に、壁４の壁厚が薄い場合に、電子機器２と取付プレート３で壁４、埋込ボックス２を挟み込むと、電子機器２と取付プレート３が密着する可能性がある。すると、壁４、埋込ボックス２を挟み込む力が低下してしまい、取り付けが困難となる。そこで、取付プレート３の屈曲部３３を電子機器２と向かい合わせた状態でネジ５を表穴部３１ａに螺合すると、屈曲部３３によって取付プレート３と電子機器２との間に空間ができ、壁４、埋込ボックス２を挟み込む力が強くなり、電子機器２を取り付けることが可能となる。
【図面の簡単な説明】
【００１４】
【図１】本発明に係る電子機器の壁面取付構造図。
【図２】本発明に係る取付プレートの正面図、右側面図、底面図。
【図３】本発明に係る電子機器の壁面に取り付けたときの斜視図。
【符号の説明】
【００１５】
１            埋込ボックス
１１          ボックス開口部
１２          前面壁
２            電子機器
３            取付プレート
３１          ネジ穴部
【図１】
2010081483.tif 000003
【図２】
2010081483.tif 000004
【図３】
2010081483.tif 000005